(57)【特許請求の範囲】
【請求項１】
水を貯留する水タンクと、
前記水タンクより供給される水を加熱して湯とするとともに、生成した湯を案内路を介して供給する加熱給湯機構と、
コーヒー粉を収容した状態で、前記加熱給湯機構から前記湯の供給を受けてコーヒー液を抽出する抽出部と、
前記抽出部で抽出されるコーヒー液を貯留するサーバとを備え、当該サーバにコーヒー液注ぎ口を備えたコーヒーメーカーであって、
前記サーバ内に配置され、前記抽出部から抽出されたコーヒー液を分散して受け入れる有底筒状のアイスバスケットが設けられ、
前記アイスバスケットは、縦長に形成された氷収納室を内部に備えており、底部の周縁部に前記氷収納室内のコーヒー液を前記サーバに送出する液送出孔が形成されるとともに、前記底部が当該サーバの底面に近接する位置に底面から離して配置され、
前記アイスバスケットが前記底部と当該底部の周縁部から中心軸方向に立ち上る周壁部とを有して構成され、
前記アイスバスケットの軸方向開放端を覆う状態で係合連結するフタを備え、
前記サーバの上部部位に前記フタを介して前記アイスバスケットが吊るされた状態で、
前記アイスバスケットがサーバ内に位置されるとともに、前記アイスバスケットと前記フタとの間にコーヒー液流通路が形成され、前記氷収納室内からの氷の飛出しを阻止し、且つ、アイスバスケット内のコーヒー液の流出を許容する構成で、当該コーヒー液流通路は、アイスバスケットの周方向において、前記コーヒー液注ぎ口と実質的に周方向位相で同一又は近接する部位に形成され、
コーヒー液の取り出しに関し、前記サーバと前記アイスバスケットとの間に位置するコーヒー液を前記コーヒー液注ぎ口から取り出し、前記アイスバスケット内のコーヒー液を前記コーヒー液流通路から直接取り出し可能とされているコーヒーメーカー。
【発明の詳細な説明】
【技術分野】
【０００１】
本発明は、水を貯留する水タンクと、
前記水タンクより供給される水を加熱して湯とするとともに、生成した湯を案内路を介して供給する加熱給湯機構と、
コーヒー粉を収容した状態で、前記加熱給湯機構から湯の供給を受けてコーヒー液を抽出する抽出部と、
前記抽出部で抽出されるコーヒー液を貯留するサーバとを備えるコーヒーメーカーに関する。
【背景技術】
【０００２】
この種の構成のコーヒーメーカーは、水タンクに水を補給するとともに、抽出部にコーヒー粉を収容した状態で、抽出用のスイッチを操作することで、サーバにコーヒー液を貯留することができる。
ここでサーバに貯留されるコーヒー液は、加熱給湯機構から湯が供給されて抽出部で抽出が行われるため、所謂ホットコーヒー（加温状態のコーヒー液）となる。
【０００３】
使用に際しては、ユーザが希望するカップ数に応じて、抽出部に所定量のコーヒー粉を入れるとともに、同じくカップ数に応じた量の水を水タンクに入れることで、所望量のホットコーヒー液を得ることができる。コーヒー液の濃度調整は、水タンクに入れる水の量を調整したり（水タンクに入れた水を常に使い切る場合）、水タンクから加熱給湯機構を介して供給される水の量を調整する（水タンク内の水の払い出し量を調整可能な場合）ことで、行うことができる。
【０００４】
このようなホットコーヒーを得るコーヒーメーカーにおいて、アイスコーヒーを得ることも可能なコーヒーメーカーが特許文献１、特許文献２に示されている。
【０００５】
特許文献１に開示の技術は「コーヒー沸し器」に関し、デカンタ７（本願のサーバに相当）内に氷収納籠１２（本願のアイスバスケットに相当）を備え、コーヒー粉を収容したチャンバー６（本願の抽出部に相当）から滴下するコーヒー液を氷収納籠１２内に収納された氷の表面を伝わらせることによりアイスコーヒーを得る。
【０００６】
特許文献２に開示の技術は、「アイスコーヒー兼用のドリップ式コーヒ沸し器」に関し、コーヒボトル９（本願のサーバに相当）内にバスケット１５（本願のアイスバスケットに相当）を備え、コーヒー粉を収容した濾過機１０（本願の抽出部に相当）から滴下するコーヒー液をバスケット１５内に収納された氷の表面を伝わらせることによりアイスコーヒーを得る。
【０００７】
両者は、共に、アイスバスケットを備え抽出部から加温状態にあるコーヒー液を滴下させてアイスコーヒーを得る技術であるが、アイスバスケットはその底部がサーバの底面からサーバの中央部に位置する浅い形状であり、バスケット内の氷が得られたコーヒー液に浸ることはないと理解される。
さらに、コーヒー液をアイスバスケット自体から取り出すこと等は想定されていない。
【先行技術文献】
【特許文献】
【０００８】
【特許文献１】特開昭６１−１７９１１５号公報
【特許文献２】実開昭５９−７７３２号公報
【発明の概要】
【発明が解決しようとする課題】
【０００９】
上記構成のコーヒーメーカーに関して発明者らは鋭意検討を重ねたところ、先に示した構成のコーヒーメーカーでは、コーヒー液の冷え加減が重力によって氷を流れ落ちる時間に左右され、アイスコーヒーとして美味しい温度まで充分に冷やせない場合があることが判明した。
【００１０】
さらに、得られたアイスコーヒーに関しても、コーヒー液を飲用として美味しい冷却された状態に保つには限界があった。
【００１１】
本願発明の目的は、抽出部で得られる加温状態にあるコーヒー液を、アイスコーヒーとして美味しい温度まで充分に冷やすことができるとともに、その冷却状態を維持でき、さらには、冷却状態にあるアイスコーヒーを容易に取り出すことができるコーヒーメーカーを得ることにある。
【課題を解決するための手段】
【００１２】
上記目的を達成するための本発明の特徴構成は、
水を貯留する水タンクと、
前記水タンクより供給される水を加熱して湯とするとともに、生成した湯を案内路を介して供給する加熱給湯機構と、
コーヒー粉を収容した状態で、前記加熱給湯機構から前記湯の供給を受けてコーヒー液を抽出する抽出部と、
前記抽出部で抽出されるコーヒー液を貯留するサーバとを備え、当該サーバにコーヒー液注ぎ口を備えたコーヒーメーカーであって、
前記サーバ内に配置され、前記抽出部から抽出されたコーヒー液を分散して受け入れる有底筒状のアイスバスケットが設けられ、
前記アイスバスケットは、縦長に形成された氷収納室を内部に備えており、底部の周縁部に前記氷収納室内のコーヒー液を前記サーバに送出する液送出孔が形成されるとともに、前記底部が当該サーバの底面に近接する位置に底面から離して配置され、
前記アイスバスケットが前記底部と当該底部の周縁部から中心軸方向に立ち上る周壁部とを有して構成され、
前記アイスバスケットの軸方向開放端を覆う状態で係合連結するフタを備え、
前記サーバの上部部位に前記フタを介して前記アイスバスケットが吊るされた状態で、
前記アイスバスケットがサーバ内に位置されるとともに、前記アイスバスケットと前記フタとの間にコーヒー液流通路が形成され、前記氷収納室内からの氷の飛出しを阻止し、且つ、アイスバスケット内のコーヒー液の流出を許容する構成で、当該コーヒー液流通路は、アイスバスケットの周方向において、前記コーヒー液注ぎ口と実質的に周方向位相で同一又は近接する部位に形成され、
コーヒー液の取り出しに関し、前記サーバと前記アイスバスケットとの間に位置するコーヒー液を前記コーヒー液注ぎ口から取り出し、前記アイスバスケット内のコーヒー液を前記コーヒー液流通路から直接取り出し可能とされている点にある。
【００１３】
アイスコーヒーを作成するに際しては、アイスバスケット内に氷を収納して使用するが、本特徴構成によれば、抽出部から抽出されたコーヒー液は、アイスバスケット内に分散された状態で氷上に受け入れられる。そして、縦長に形成された氷収納室内に収納された氷上を可及的長い時間をかけてアイスバスケット底部側の周縁部に設けられた液送出孔まで流下し、サーバ内に送り出され貯留される。
【００１４】
従って、先ずもってコーヒー液と氷との接触時間が長くなるため、コーヒー液を充分冷たくできる。
さらに、アイスバスケットの底部が当該サーバの底面に近接した位置とされ、且つアイスバスケットがサーバ内に位置するため、サーバ内に貯留する低温状態にあるコーヒー液（アイスコーヒー）に氷収納室内の氷が浸かっている状態となり、コーヒー液の低温維持が実現できる。
【００１５】
一方、アイスバスケットの底部は当該サーバの底面に近接して位置されるものの離して配置される（例えば、数ｍｍから１ｃｍ程度離れて配置され当接しない）ため、サーバがアイスバスケット側から機械的又は熱的な衝撃を受けることを回避できる。例えば、氷を収納し冷えた状態にあるアイスバスケットをサーバに装着するときの衝撃が避けられる。
本発明のコーヒーメーカーは、アイスコーヒー（冷却状態にあるコーヒー液）を、サーバ内でアイスバスケット外に貯留する他、アイスバスケット内の氷収納室にも貯留することとなる。
従って、アイスコーヒーを取り出す場合は、アイスバスケット外にあるコーヒー液はサーバに設けられているコーヒー液注ぎ口から取り出せるが、アイスバスケット内にあるコーヒー液を液送出孔を介して取り出すことは、流通路が長くなり時間を要するため好ましくない。
そこで、アイスバスケットに対してコーヒー液流通路を設けることで、アイスバスケット内のコーヒー液を、コーヒー液流通路を介して直接取り出すことができる。結果、アイスバスケットの液送出孔を介して、サーバとアイスバスケットとの間に設けられる空間にもコーヒー液を貯留する構成のコーヒーメーカーにおいて、コーヒー液の温度を低温に保ち美味しいコーヒー液（アイスコーヒー）を得ながら、コーヒー液の取り出しをコーヒー液注ぎ口とコーヒー液流通路との両方で速やかに行える。
【００１６】
本発明の更なる特徴構成は、前記アイスバスケットが、前記サーバの上部部位から吊るされてサーバ内に位置される点にある。
【００１７】
本特徴構成によれば、アイスバスケットとサーバとの取り合いにおいてサーバ上部部位に吊り下げに必要な箇所を設けるだけで済む。結果、サーバ内の空間を比較的高い自由度で利用できる。また、サーバの形状選択の自由度が高く、従来ホットコーヒーを貯留するのに採用されていたサーバを利用することも可能となる。
【００１８】
本発明の更なる特徴構成は、前記アイスバスケットが前記底部と当該底部の周縁部から軸方向に立ち上る周壁部とを有して構成され、
前記アイスバスケットの軸方向開放端を覆う状態で係合連結するフタを備え、
前記サーバの上部部位に前記フタを介して、前記アイスバスケットが吊るされる点にある。
【００１９】
本特徴構成によれば、アイスバスケットをサーバ内に吊るのにその軸方向開放端を覆うフタを利用する。この様にフタ側にサーバから吊るされるために必要となる構成を受け持たせることで、比較的複雑な構造となりやすいサーバとの接続部をフタ側に纏められるためアイスバスケットを信頼性の高いものとできる。さらに、サーバにフタを備えている場合は、そのフタにアイスバスケットを吊るすための構成を設ければ良く、簡便である。
【００２０】
本発明の更なる特徴構成は、前記コーヒー液流通路が前記アイスバスケットと前記フタとの間に設けられ、前記氷収納室内からの氷の飛出しを阻止し、且つ、アイスバスケット内のコーヒー液の流出を許容する構成で、
当該コーヒー液流通路は、アイスバスケットの周方向において、前記コーヒー液注ぎ口と実質的に周方向位相で同一又は近接する部位に形成されている点にある。
【００２１】
本発明のコーヒーメーカーは、アイスコーヒー（冷却状態にあるコーヒー液）を、サーバ内でアイスバスケット外に貯留する他、アイスバスケット内の氷収納室にも貯留し、その前者をコーヒー液注ぎ口から取り出し、後者をコーヒー液流通路から取り出すが、後者をアイスバスケット上部にある開口から単に取り出そうとすると、氷が飛び出す虞もある。
【００２２】
そこで、先に記載した本特徴構成を採用することにより、コーヒー液流通路を介してのコーヒー液の取り出しにおいて、アイスコーヒーを氷の飛出しを阻止しながら直接取り出すことができる。
さらに、当該コーヒー液流通路と前記コーヒー液注ぎ口との位置関係を周方向位相で同一又は近接する部位とすることで、コーヒー液の例えばカップへの取り出しをサーバを傾けるだけで行える。
【００２３】
このコーヒー液流通路は、縦長の筒状部材であるアイスバスケットの周方向において、コーヒー液注ぎ口と実質的に周方向位相で同一又は近接する部位に形成する流路とするとスムーズにアイスコーヒーを取り出せる。
【００２４】
ここで想定される氷は、アイスコーヒーの作成を終り小さくはなっているが、例えばカップ内に落下すると不都合な大きさの氷を意味し、例えば径が１ｃｍを越える氷を意味する。
【００２５】
後述するアイスバスケットの更なる特徴構成は、
前記アイスバスケットの周壁部に前記氷収納室内の氷を目視可能な確認窓を備え、
前記水タンクに所定濃度のアイスコーヒーを得るための水量を表示するアイス用水量目盛りを有し、
前記確認窓は、前記アイス用水量目盛りに合わせた水によって得られるコーヒー液の冷却に対応させた所定量の氷を目視させる位置に配置される点にある。
【００２６】
本特徴構成によれば、アイスコーヒーの作成に際して、その一定の指標を、水タンク内の水量、アイスバスケットに設ける確認窓の位置に基づく氷の量からユーザに示すことができ、繰り返しアイスコーヒーを作成する場合に、濃度変動の少ないアイスコーヒーを得ることができる。
この点に関し、アイスバスケットを例えば透明部材で作成しておくと、コーヒー滓等が付着して汚れが目立ちやすくなるが、アイスバスケットを内部が見えない部材で形成し、氷の収納量を外側から目視で確認できない場合にも、窓とすることで氷の量の確認が容易にでき、さらに、アイスコーヒーの濃さのコントロールもし易く、使用勝手が良い。
【発明の効果】
【００２７】
以上説明したように、得られる加温状態にあるコーヒー液を、アイスコーヒーとして美味しい温度まで充分に冷やすことができるとともに、その冷却状態を維持でき、さらには、冷却状態にあるアイスコーヒーを容易に取り出すことができるコーヒーメーカーを得ることができた。
【図面の簡単な説明】
【００２８】
【図１】コーヒーメーカーの全体構成を示す図
【図２】アイスバスケットを収納したサーバを保温加熱機構上に載置した状態のコーヒーメーカーの断面図
【図３】アイスバスケットを収納した状態のサーバの外観視図及びアイスバスケットをサーバから取り外した状態の分解図
【図４】アイスバスケットを収納した状態にあるサーバの断面図
【図５】サーバに対するアイスバスケットの連結状態を示す説明図
【図６】ホットコーヒー用流路とアイスコーヒー用流路との切換構造を備えたフタの別実施形態を示す説明図
【図７】図６に示す別実施形態の使用状態の断面図
【図８】更なるフタの別実施形態に係り、ホットコーヒー用フタの形態を示す平面図、及び当該ホットコーヒー用フタを使用してアイスコーヒーを作成する場合の使用状態を示す断面図
【発明を実施するための形態】
【００２９】
以下、本発明に係るコーヒーメーカー１００を図面に基づいて説明する。
このコーヒーメーカー１００は、ホットコーヒーの抽出を行えるとともにアイスコーヒーを作成することもできる。
【００３０】
アイスコーヒーを作成する場合、本願独特のアイスバスケット１０ａをサーバ５に装着して使用する。このアイスバスケット１０ａの使用によりアイスコーヒーを充分低温まで冷やすことができ、さらにコーヒー液ｃを低温に維持できるため、美味しいアイスコーヒーを楽しむことができる。
【００３１】
コーヒーメーカー１００全体の外観を図１に、アイスバスケット１０ａを装着・収納したサーバ５を保温加熱機構６上に載置した状態のコーヒーメーカー１００の断面図を図２に示した。本実施形態では、サーバ５にアイスバスケット１０ａを装着・収納するのに、サーバ５のフタ５０ａにアイスバスケット１０ａを係合連結してサーバ５内に吊るすため、説明の便宜上、フタ５０ａとアイスバスケット１０ａとの連結一体物をフタ・アイスバスケット連結体５００と呼ぶことがあるものとする。
【００３２】
図２からも判明するように、本発明に係るコーヒーメーカー１００も、水ｗを貯留する水タンク１と、この水タンク１より供給される水ｗを加熱して湯ｈｗとするとともに、生成した湯ｈｗを案内路２ｂを介して抽出部３に供給する加熱給湯機構２と、コーヒー粉ＣＯを収容した状態で、加熱給湯機構２から供給される湯ｈｗが分散滴下されてコーヒー液ｃを抽出する抽出部３と、この抽出部３で抽出されたコーヒー液ｃを貯留するサーバ５とを備えている。
【００３３】
さらに、このサーバ５にホットコーヒーを貯留した場合に、コーヒー液ｃを所定の温度に保温するための保温加熱機構６をサーバ載置空間Ａの下部に備えている。
【００３４】
また、コーヒーメーカー１００全体の動作を制御する制御部７が備えられるとともに、この制御部７において動作に必要となる所定の情報を入力するための操作部８が設けられている。
制御部７は、操作部８から入力された入力情報（例えば、作成すべきコーヒー液ｃのカップ数、ホットコーヒーの保温温度、或はホットコーヒーを保温維持すべき時間情報等）に従って、コーヒーメーカー１００を作動させるように構成されている。
【００３５】
コーヒーメーカー１００は、コーヒー抽出指令となる抽出開始操作を受けた状態で、水タンク１内の水ｗを加熱給湯機構２により湯ｈｗとして案内路２ｂを介して抽出部３に送り出し、抽出部３において加温状態にあるコーヒー液ｃを所望量抽出する。
【００３６】
ホットコーヒーを得たい場合は、加温状態にあるコーヒー液ｃがそのままサーバ５に滴下され、アイスコーヒーを得たい場合は、アイスバスケット１０ａ内に収納された氷１１上に分散滴下される。
【００３７】
このような抽出操作に際して、抽出に必要な水量は、水タンク１内に収容されている全量とすることもできるし、入力されたカップ数により調整することもできる。
いずれにしても、このコーヒーメーカー１００にあっては、サーバ５に貯留するコーヒー液ｃの量が、水タンク１内の水量或は操作部８からの入力情報に従って制御され、ユーザが必要とする量だけのホットコーヒー又はアイスコーヒーを得ることができる。
【００３８】
前記水タンク１は、コーヒーメーカー本体１０１から取り外し可能とされており、ユーザが適宜水ｗを補給することで、抽出部３へ送る湯ｈｗを生成できるように構成されている。この水タンク１の出口近傍は逆止構造が採用されており、湯ｈｗの逆流防止が図られている。さらに、水タンク１には、水タンク１をコーヒーメーカー本体１０１に装着した状態で概略水平となる指標線１ａ（定量用目盛り）が付けられており、タンク内の水ｗの量を確認できる。
【００３９】
本発明に係る水タンク１には、この指標線１ａとしてホットコーヒー用の指標線１ａｈ，およびアイスコーヒー用の指標線１ａｃが用意されている。
【００４０】
図２に横方向に伸びる実線で示したのが、カップ数毎に付けられたホットコーヒー用の指標線１ａｈであり、破線で示したのが、３カップ用、５カップ用としてアイスコーヒー用に付けられた指標線（アイス用水量目盛り）１ａｃである。この様なアイスコーヒー用の指標線１ａｃは、後に説明するアイスバスケット１０ａの周壁部１０ａ２に備えられる確認窓１０ａ４の高さ位置に対応させてある。即ち、水タンク１に付けられたアイスコーヒー用の指標線１ａｃに従った水量の水ｗを水タンク１に入れておき、カップ数に応じた所定量のコーヒー粉ＣＯを抽出部３に入れ、さらにアイスバスケット１０ａに設けられた確認窓１０ａ４から覗ける位置高さまで氷１１を入れて抽出を始めることで、好ましい濃さのアイスコーヒーを希望する量得ることができるように構成されている。
【００４１】
本発明のコーヒーメーカー１００では、アイスコーヒーの作成に当たっては、水量、コーヒー粉量、及び氷１１のアイスバスケット１０ａへの収納量（更には収納高さであり、加温状態にあるコーヒー液ｃが氷表面を流下する流下距離に対応する）を規格化することで、アイスコーヒーの濃度のばらつきを抑え、さらに、例えば、ユーザが水量を多めにする、少な目にする等操作することで、使用回数に関わらず、ユーザの好みに合致した濃度のアイスコーヒーを得ることができる。
【００４２】
水タンク１の下側には、加熱給湯機構２が設けられており、水タンク１から適宜払い出される水ｗを加熱して湯ｈｗとして案内路２ｂに送り出す。この目的から、加熱給湯機構２にはドリップ用ヒータ２ａ及び供給機構（図示省略）が備えられており、このドリップ用ヒータ２ａで生成される湯ｈｗ（実質的な沸騰水）を、所定量づつ、案内路２ｂを介して、抽出部３に送ることができる。
【００４３】
図２からも判明するように、加熱給湯機構２における案内路２ｂの出口部位、抽出部３の上部には、案内路２ｂを介して供給されてくる湯ｈｗを分散して抽出部３に滴下する分散滴下部２ｃが設けられている。
【００４４】
抽出部３の構成であるが、この実施形態では、フィルターカップ３ａが所定の位置（分散滴下部２ｃの下部で保温加熱機構６上に載置されたサーバ５の上部）に収納されるように構成されている。フィルターカップ３ａにはコーヒー粉ＣＯを内部に収容したフィルター３ｂが収納され、湯ｈｗが滴下されることで、コーヒー液ｃが抽出される。コーヒー液ｃはフィルターカップ３ａの底に形成された流下孔３ｃからサーバ５に滴下する。
【００４５】
流下孔３ｃには、フィルターカップ３ａからコーヒー液ｃを流下させる流下調整用弁機構３０が備えられており、図２に示すように、サーバ５の上部支持環５ｂに、アイスバスケット１０ａを連結したフタ５０ａが装着され（アイスコーヒーを作成する状態）、抽出済の加温状態にあるコーヒー液ｃがアイスバスケット１０ａに流入する。このコーヒーメーカー１００では、フタ５０ａはホットコーヒーを抽出する場合にもサーバ５に装着して使用する。
【００４６】
図示するように流下調整用弁機構３０は、フィルターカップ３ａの中心軸に沿って上下方向に移動するスライダー３０ａと、このスライダー３０ａを上側及び下側に付勢する上下一対の付勢スプリング３０ｂと、スライダー３０ａの下端から上方向に断面円弧状に伸びる分散キャップ３０ｃを備えて構成されている。この分散キャップ３０ｃの軸周部位には複数の孔が設けられている。結果、スライダー３０ａの上下方向の位置に従って、抽出されたコーヒー液ｃの流下状態が決定・調整される。
【００４７】
サーバ５はホットコーヒーを抽出する状態で、上部からコーヒー液ｃを受け入れる。
本願の特徴であるアイスバスケット１０ａを含め、サーバ５の詳細構造に関しては以降に述べる。
【００４８】
保温加熱機構６は、保温用ヒータ６ａ、保温用ヒータ６ａの上部に備えられる保温板６ｂ及びこの保温板６ｂの端部に設けられたサーミスタ６ｃを備えて構成されている。保温用ヒータ６ａは電力の供給を受けて発熱する電気ヒータである。保温板６ｂは伝熱性の高い金属板で形成されている。一方、サーミスタ６ｃは保温板６ｂの温度検出用に設けられている。
前記保温用ヒータ６ａは、前記サーミスタ６ｃの検出温度に従って、その温度が所定の目標温度となるようにＯＮ,ＯＦＦ制御され、サーバ内にホットコーヒーが貯留されている状態で、コーヒー液ｃを保温することができる。
以上が、コーヒーメーカー１００全体の説明である。
【００４９】
以下、サーバ５、アイスバスケット１０ａに関して順次説明する。
図３（ａ）にアイスバスケット１０ａを収納した状態にあるサーバ５の外観視図を示し、図３（ｂ）にアイスバスケット１０ａをサーバ５から取り出した状態を示した。本発明に係るアイスバスケット１０ａはフタ５０ａに係合連結して使用するが、図３（ｂ）では、フタ５０ａをアイスバスケット１０ａから外して示している。
このフタ５０aはサーバ５用に備えられるものであり、本発明ではフタ５０aがアイスバスケット１０ａのサーバ５に対する吊り下げ支持用にも使用される。
【００５０】
また、図４は、図３（ａ）に示す、アイスバスケット１０ａを収納した状態にあるサーバ５の断面図であり、ハンドル５ｄをその幅方向中央で切断した断面（図３（ａ）のＩＩＩａ−ＩＩＩａ断面）を示している。
【００５１】
フタ５０ａは、フタ５０ａをサーバ５の上部支持環５ｂの上から下降させて押し込むことで係合させることができる。一方、両者の分離に際しては、図３（ｂ）に示されるサーバ５の上部支持環５ｂに備えられている係合用突起５ｂ５、ストッパー突起５ｂ６との間の空間を利用して、容易に軸方向に分離することができる。
一方、アイスバスケット１０ａとフタ５０ａとは、所謂バイオネット構造で係合され、分離可能な構成が採用されている。
このバイオネット構造とは、係合される両者を、所定の中心軸ｚ周りの回転位相関係において、その軸方向の相対近接移動（具体的には、例えば下部側に位置する被係合側部材を位置固定した状態で、上部側に位置する係合側部材を相対下降移動させる）で、両者に設けられた対となる係合部位が係合可能となる軸方向位置まで移動させ、さらに当該軸方向周りにおける周方向の相対回動（具体的には、両者を係合離脱位置から係合位置まで回動させる）により、係合連結することを意味する。
【００５２】
従って、アイスコーヒーを作成するに際しては、アイスバスケット１０ａ内に氷１１を収容した状態で、アイスバスケット１０ａをフタ５０ａに取り付け、これらが一体化したフタ・アイスバスケット連結体５００を、サーバ５の上部支持環５ｂに係合連結することでアイスバスケット１０ａをサーバ５内に収納配置することができる。
【００５３】
以下、部材順に説明する。
〔サーバ〕
サーバ５は、先にも示したように、透明なガラス容器から構成されるサーバ本体５ａと、このサーバ本体５ａを支持するためのハンドル５ｄ及びこのハンドル５ｄをサーバ本体５ａに接続する上部支持環５ｂ及び下部支持環５ｃを備えて構成されている。
【００５４】
上部支持環
上部支持環５ｂは、サーバ本体５ａの上端部位にシール用弾性部材５ｂ１を介して一体に装着される環状部材であり、図４に示すように、ハンドル装着部５ｂ２が設けられるととともに、その位置に対向する側にコーヒー液注ぎ口５ｂ３が設けられている。ここで、コーヒー液注ぎ口５ｂ３は概略断面Ｖ字状の先窄まりの形状とされている。
【００５５】
さらに、図３（ｂ）、図４に示すように、上部支持環５ｂには、その内周部位に係合用案内突起５ｂ４、係合用突起５ｂ５及び回動ストッパー突起５ｂ６を備えており、フタ５０ａに設けられたサーバ係合用突部５０ａ１に対する案内、係合、回動規制により、アイスバスケット１０ａを係合連結できるように構成されている。
【００５６】
下部支持環
下部支持環５ｃは、サーバ本体５ａの下部部位に環状に一体に装着される帯状部材であり、図４に示すように、ハンドル装着部５ｃ１が設けられる。
【００５７】
ハンドル
ハンドル５ｄは、図４からも判明するように、サーバ本体５ａに、前記上部支持環５ｂ及び下部支持環５ｃを介して装着される。
従って、サーバ５は、このハンドル５ｄをユーザが使用することで、コーヒーメーカー１００の保温加熱機構６から取り出し、載置可能となっている。
【００５８】
〔アイスバスケット〕
アイスバスケット１０ａは、その軸方向開放端をカバーするフタ５０ａに装着して使用する。
【００５９】
図３，図４に示すように、アイスバスケット１０ａは、底部１０ａ１とその底部１０ａ１の周縁部から軸方向に立ち上る周壁部１０ａ２とを備えた有底縦長の筒状部材として構成されており、内部に氷収納室Ｉを備え、底部１０ａ１の周縁部に内部液体を外部に送出する液送出孔１０ａ３を複数箇所備えて構成されている。この液送出孔１０ａ３は比較的小幅に形成されており、氷１１が出ることがない大きさ、例えば幅５ｍｍ以下とされている。この例では、アイスバスケット１０ａの底部１０ａ１にも小さな孔１０ａ９を周方向に均等に設けている（図４参照）。
【００６０】
アイスバスケット１０ａは、コーヒーによる汚れを目立ち難くするために暗色（具体的には黒色）の樹脂部材から構成されている。
【００６１】
さらに、先にも説明した水タンク１に設けられているアイスコーヒー用の指標線１ａｃに対応した氷収納室Ｉ内の氷１１を目視確認するための確認窓１０ａ４（図示する例では、３カップ用及び５カップ用）が設けられている。当然ではあるが、３カップ用の確認窓１０ａ４が５カップ用の確認窓１０ａ４より低い位置となる。
【００６２】
また、図２、図３（ｂ）に示すように、アイスバスケット１０ａの上部端近傍部位には、フタ５０ａに対して、バイオネット構造を実現すべく、バイオネット用案内凹部１０ａ５及び係合用凹部１０ａ６を備えて構成されている。この係合用凹部１０ａ６の周方向端はストッパーとして働く。結果、フタ５０ａの内周部に設けられたアイスバスケット係合用突部５０ａ５（図２参照）に対する案内、係合、回動規制により、フタ５０ａを係合連結（バイオネット構造にて係合連結）できるように構成されている。
【００６３】
〔フタ〕
図３，図４からも判明するように、フタ５０ａは、概略円盤状の板状に形成されており、中央部位上側にドーム状に突出する上方突出部５０a６を備えるとともに、下側外周特定位相部位に係合用下垂垂れ部５０ａ７を備えるとともに、前記上方突出部５０ａ６より外周側の位置に円環状の下垂垂れ部５０ａ８を備えて構成されている。
さらに、係合状態でハンドル５ｄの上部に位置するハンドルカバー部５０ａ９と、サーバ５のコーヒー液注ぎ口５ｂ３の上に対応して位置に設けられたカバー引退部５０ａ１０とを備えて構成されている。
【００６４】
前記上方突出部５０ａ６は、先にも示したように、フタ５０ａの中央部位上側にドーム状に突出する形状とされており、その上部面に周方向に８本均等配置された案内ガイドｇ（図３、図５参照）を備えている。この上方突出部５０ａ６の突出量は、サーバ５を保温加熱機構６上に載せた姿勢で、先に説明した流下調整用弁機構３０がコーヒー液ｃの流下を許容する位置関係となるように構成されている。
【００６５】
これら案内ガイドｇ間は中実に形成されており、上から流下して来るコーヒー液ｃを、この上方突出部５０ａ６の外周に近接して設けられた流下孔ｈまで分散流下させ、流下孔ｈを介して下側に分散滴下するようにされている。図４、図５からも判明するようにこれら流下孔ｈを設けた径方向箇所は、所定の径方向幅を有する凹部Ｈとされている。
【００６６】
この凹部Ｈの裏面には、各流下孔ｈの外径側を囲う形態で、先に説明した円環状の下垂垂れ部５０ａ８が設けられている。
【００６７】
係合用下垂垂れ部５０ａ７には、その外周側に、上部支持環５ｂに設けられた係合用突起５ｂ５に係合するサーバ係合用突部５０ａ１が設けられるとともに、その内周側に、アイスバスケット１０ａに設けられた係合用凹部１０ａ６に嵌るアイスバスケット係合用突部５０ａ５が設けられている。
【００６８】
以上説明してきたように、本発明に係るアイスバスケット１０ａは、コーヒー液ｃの抽出に際し、抽出部３から滴下するコーヒー液ｃを分散して受け入れるとともに、分散状態にあるコーヒー液ｃをフタ５０ａに設けられた流下孔ｈを介して、氷収納室Ｉ内に収納された氷１１上に分散滴下する。
【００６９】
さらに、図４に示すように、サーバ５のコーヒー液注ぎ口５ｂ３に対応する、アイスバスケット１０ａとフタ５０ａとの中間位置に、氷収納室Ｉ内の氷１１の飛出しを阻止し、且つ、アイスバスケット１０ａ内のコーヒー液ｃの流出を許容するコーヒー液流通路Ｒｃが形成される様に構成されている。
【００７０】
〔アイスバスケットのサーバ内での位置〕
図５に、アイスバスケット１０ａをサーバ５に収容した状態を示した。この状態で、フタ・アイスバスケット連結体５００が上部支持環５ｂに係合連結されている。
この図には、主にフタ５０ａと、このフタ５０ａに係合連結した状態にあるアイスバスケット１０ａ（フタ・アイスバスケット連結体５００）を実線で示し、サーバ５に設けられる上部支持環５ｂを二点鎖線で示している。
【００７１】
図は係合後の両者の位置関係を示し、サーバ５の上部よりフタ５０ａを押しながら下降操作することで、フタ５０ａに設けられたサーバ係合用突部５０ａ１が、上部支持環部５ｂの内周面に設けられた係合用突起部５ｂ５の下側に位置され、両者の係合連結が完了する。
【００７２】
この状態で、アイスバスケット１０ａは、サーバ５の上部部位から吊るされてサーバ５内に位置されることとなり、また図２に示す断面からも判明するように、サーバ５の上部部位にフタ５０ａが係合して、アイスバスケット１０ａが吊るされてサーバ５内に位置されることとなる。
【００７３】
またこの姿勢において、図２に示すようにアイスバスケット１０ａの底部１０ａ１が当該サーバ５の底面に近接し当該底面から離れた位置に来るように構成されている。
【００７４】
さらに、アイスバスケット１０ａ内からのアイスコーヒーの導出は、氷収納室Ｉから氷１１が飛び出すのを阻止した状態で、図４にも示したコーヒー液流通路Ｒｃで行うことができる。
なお、本実施形態において、液送出孔１０ａ３を、アイスバスケット１０ａの底部１０ａ１の底部中央等にも更に設けても良い。
【００７５】
〔別実施形態〕
Ａ  上記の実施形態では、アイスバスケット１０ａと、ホットコーヒー抽出時にサーバ５に装着して使用するフタ５０ａとを備えて構成し、アイスコーヒーの作成に際しては、フタ５０ａにアイスバスケット１０ａを係合連結して使用する例を示した。
【００７６】
しかしながら、ホットコーヒーの抽出に際しては、抽出部３で抽出されるコーヒー液ｃを必ずしも周方向に分散させる必要はなく、アイスコーヒーの作成に際しては、氷収納室Ｉ内に収納された氷１１上に適切に分散させてコーヒー液ｃを滴下させることが好ましい。
【００７７】
この種の目的を達成するためのフタの別実施形態を図６〜８に示した。
【００７８】
図６、７は、フタ６０を上下二枚構成とし、下側のフタ６０ａに対して上側のフタ６０ｂを中心軸ｚ周りに回動可能としている。図６に於いて白抜きの孔部６１が上下に位置する孔が連通してコーヒー液ｃが滴下可能な状態を示し、黒抜きの孔部６２が下側のフタ６０ａによって閉止されていることを示している。
【００７９】
図６（ａ）は、分散を目的とするアイスコーヒー作成時の使用状態を示し、図６（ｂ）は分散の必要のないホットコーヒー抽出時の使用状態を示している。
そして、図７に示すように、上側のフタ６０ｂに設けた操作用ツマミ６３を使用して、上側のフタ６０ｂを相対回動することで、ホットコーヒー、アイスコーヒー兼用のフタ６０を実現できる。
【００８０】
Ｂ  図８は、上記と同様に二枚のフタ８０、８１を設けておく例であるが、図８（ａ）がホットコーヒーを抽出する場合に使用するフタ８０を、図８（ｂ）がアイスコーヒーを作成する場合に取る使用形態を示したものである。
図８（ａ）に示すフタ８０は、中央開口８０ｃを備えるとともに、その周部に二重環状に８個のコーヒー液流下口８０ｄ，８０ｅをそれぞれ備えている。
そして、ホットコーヒーの抽出時には、図８（ａ）に示す中央開口８０ｃを備えたフタ８０のみを使用する。この状態にあっては、抽出部３から流下するコーヒー液ｃは中央開口８０ｃを通して実質的に分散することなくサーバ５に流下、貯留される。
一方、アイスコーヒーの作成時は、この中央開口８０ｃを有するフタ８０を基本的に本実施例で示したものと同様な構成である中央突部８１ｃが中実（開口部がない）のフタ８１上に乗せることで、周部に設けられた流下孔８１ｄを使用して分散した状態で、コーヒー液ｃを氷１１上に滴下させることができる。
【００８１】
図８に示す例では先に図４において説明した、アイスバスケット１０ａと、フタ５０ａとの間に形成されるコーヒー液流通路Ｒｃを、コーヒー液注ぎ口５ｂ３の様に開いた例を示している。
【符号の説明】
【００８４】
１        水タンク
１ａ      指標線（定量用目盛り）
１ａｃ    アイスコーヒー用の指標線（アイス用水量目盛り）
１ａｈ    ホットコーヒー用の指標線
２        加熱給湯機構
２ｂ      案内路
３        抽出部
５        サーバ
５ａ      サーバ本体
５ｂ３    コーヒー液注ぎ口
１０ａ    アイスバスケット
１０ａ１  底部
１０ａ２  周壁部
１０ａ３  液送出孔
１０ａ４  確認窓
５０ａ    フタ
６０      フタ
８０      フタ
１００    コーヒーメーカー
１０１    コーヒーメーカー本体
５００    フタ・アイスバスケット連結体
ＣＯ      コーヒー粉
Ｒｃ      コーヒー液流通路
ｃ        コーヒー液
ｗ        水
ｈ        流下孔
ｈｗ      湯
ｚ        中心軸
Ｉ        氷収納室
【図１】
0006507083.tif 000002
【図２】
0006507083.tif 000003
【図３】
0006507083.tif 000004
【図４】
0006507083.tif 000005
【図５】
0006507083.tif 000006
【図６】
0006507083.tif 000007
【図７】
0006507083.tif 000008
【図８】
0006507083.tif 000009